(57)【特許請求の範囲】
【請求項１】
画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段と、前記印刷手段の近傍の温度及び湿度のうちの少なくとも一つのデータを測定する測定手段と、を有する画像出力装置と、前記ネットワークに接続され、前記ネットワークを通じて前記印刷色補正情報を前記画像出力装置に送信するネットワークサーバと、を備え、前記画像出力装置は、前記測定手段のデータを、前記ネットワークを通じて前記ネットワークサーバに送信し、前記ネットワークサーバは前記受信したデータに基づいて前記印刷色補正情報を前記画像出力装置に送信することを特徴とする画像出力システム。
【請求項２】
前記補正手段は、前記測定したデータの履歴に基づいて印刷色を補正することを特徴とする請求項１の画像出力システム。
【請求項３】
前記補正手段は、前記印刷手段の印刷温度の変化曲線が前記温度及び湿度の履歴特性と同じになるように前記印刷手段の印刷温度を補正することを特徴とする請求項２の画像出力システム。
【請求項４】
前記画像出力装置は、前記印刷手段に供給された印刷用紙の印刷特性情報を読み取る用紙情報検出手段を備え、前記補正手段は、前記読み出した印刷特性情報に基づいて印刷色を補正することを特徴とする請求項１乃至３のいずれか１の画像出力システム。
【請求項５】
前記画像出力装置は、前記印刷用紙の印刷特性情報のデータを、前記ネットワークを通じて前記ネットワークサーバに送信し、前記ネットワークサーバは前記受信したデータに基づいて前記印刷色補正情報を前記画像出力装置に送信することを特徴とする請求項１乃至４のいずれか１の画像出力システム。
【請求項６】
画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段と、前記印刷手段の近傍の温度及び湿度のうちの少なくとも一つのデータを測定する測定手段と、を有する画像出力装置と、前記ネットワークに接続され、前記ネットワークを通じて前記印刷色補正情報を前記画像出力装置に送信するネットワークサーバと、を備え、前記補正手段は、前記測定したデータの履歴に基づいて印刷色を補正することを特徴とする画像出力システム。
【請求項７】
画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段とを有する画像出力装置と、前記ネットワークに接続され、前記ネットワークを通じて前記印刷色補正情報を前記画像出力装置に送信するネットワークサーバと、を備え、前記画像出力装置は、前記印刷手段に供給された印刷用紙の印刷特性情報を読み取る用紙情報検出手段とを備え、前記補正手段は、前記読み出した印刷特性情報に基づいて印刷色を補正することを特徴とする画像出力システム。
【発明の詳細な説明】
【０００１】
【発明の属する技術分野】
本発明は画像出力システムに係り、特に、ネットワークに接続された店頭やアミューズメント施設等に設置されるセルフ操作の画像出力システムに関する。
【０００２】
【従来の技術】
プリンタ装置に軽微な障害が発生したような場合に、遠隔地から操作して所定の場合には印刷ができるプリントシステムが特開平６−１８３１１２号の公報に、また、サーバープロセスにプリンターの異常を知らせることができるとともに遠隔地にいるユーザーに対して適切なメッセージを出すことができる通信処理システムが特開平５−７５６６７号の公報に示されている。
【０００３】
【発明が解決しようとする課題】
従来のセルフ操作の画像出力装置では、プリント資材の管理が全く行われていなかったので、環境の温度や湿度によってプリント画質が変化してしまっていた。セルフ操作の画像出力装置の管理者がプリント画質の変化を修正する際には、画質修正の試行錯誤が行われており、修正のための時間を要するだけでなくプリント画質の安定性にも問題を生じていた。
【０００４】
また、特開平６−１８３１１２号の公報及び、特開平５−７５６６７号の公報に示されているプリントシステムでは、プリンタの障害情報をリモートで取得してその障害状況に応じた対処を行うのみである。
【０００５】
本発明はこのような事情に鑑みてなされたもので、画像出力装置から取得した状態情報に基づいてネットワークサーバーが印刷装置を制御して、プリント画質を常に良好な状態に保つことが可能な画像出力システムを提供することを目的とする。
【０００６】
【課題を解決するための手段】
本発明は前記目的を達成するために、画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段とを有する画像出力装置と、前記ネットワークに接続され、前記ネットワークを通じて前記印刷色補正情報を前記画像出力装置に送信するネットワークサーバとを備えたことを特徴としている。
【０００７】
本発明によれば、画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段とを有する画像出力装置と、前記ネットワークに接続され、前記ネットワークを通じて前記印刷色補正情報を前記画像出力装置に送信するネットワークサーバとを備えたので、画像出力装置から取得した状態情報に基づいてネットワークサーバーが印刷装置を制御し、プリント画質を常に良好な状態に保つことが可能となる。
【０００８】
【発明の実施の形態】
以下添付図面に従って本発明に係る画像出力システムの好ましい実施の形態について詳説する。
【０００９】
図１は本発明が適用された画像出力装置の外観斜視図である。
【００１０】
同図に示すように、この画像出力装置１０は、画像を入力するフラットベットスキャナー１２と、表示装置１４と、画像データ又は文字データの入出力を行うフロッピーディスクドライブ１６、メモリカード挿入部１８と、銀塩フイルムから画像を入力するフイルムスキャナー２０と、印刷出力を行うプリンタ２２、２３等から構成され、これら各要素が筐体２５に一体的に組み込まれて一つの装置が形成されている。
【００１１】
フラットベットスキャナー１２は、画像入力手段及び文字入力手段として兼用される。フラットベットスキャナー１２の詳細な構造は図示しないがフラットベットスキャナー１２は、原稿が載せられるガラス板と、照明用光源と、光学像を電気信号に変換するイメージセンサと、原稿からの光を前記イメージセンサに導く縮小光学系と、から構成される。写真（画像原稿）から画像を入力する時、及び手書きの文字原稿等から文字を入力する時は、このフラットベッドスキャナー１２の押さえ蓋２６を開けて、前記ガラス板の上に写真又は手書き文字原稿等を載せてスキャニングする。
【００１２】
表示装置１４は、ＣＲＴディスプレイまたは液晶ディスプレイ等で構成され、表示部にはタッチパネル２８が設けられている。本システムの各種操作はこのタッチパネル２８を用いて行われ、画面に表示される操作ガイドに従って、ボタンにタッチするだけで操作を進めることができるようになっている。
【００１３】
フロッピーディスクドライブ１６は、画像入出力手段の一つとして設けられているものである。パソコンなどで作成した画像データをフロッピーディスクに記録しておき、このフロッピーディスクから画像データを入力する時に、当該フロッピーディスクドライブ１６が利用される。
【００１４】
メモリカード挿入部１８も、画像入出力手段の一つとして設けられているものである。デジタルカメラ等で撮影した画像データに対応すべく、ＰＣカードやスマートメディアなど、所定の形式の記録媒体に記録されている画像データを、当該メモリカード挿入部１８に装着することにより、その記録媒体から画像データを直接読み込んでプリントアウトすることができる。記録媒体の形態は、特に限定するものではなく、フラッシュメモリーカード、ＩＣカード、フロッピーディスク、光磁気ディスク（ＭＯ）、スティックメモリ等の種々の形態が可能であり、記録媒体の形態に対応するドライバが設けられる。
【００１５】
フイルムスキャナー２０は、２４ｍｍ新写真システム（ＡＰＳ）対応のカートリッジフイルムから画像を入力するための手段である。現像済みのネガフイルムをカートリッジごと所定の挿入部に装着することにより、フイルムが自動的にローディングされて図示せぬイメージセンサによってフイルム画像が電子画像データに変換される。なお、３５ｍｍフイルムその他のフイルムに対応したフイルムスキャナーが設けられていてもよい。
【００１６】
プリンタ２２、２３は、画像出力手段に相当するものであり、図の上段がＡ５／Ａ６サイズ用、下段がシール用のプリンタである。プリンタ２２、２３にはサーモオートクローム（ＴＡ）方式のプリンタが用いられており、印刷用紙にはロール状に巻回された印刷用紙３４、３５が用いられ、印刷時にはサーマルヘッド３８、３９を用いて各色指定された濃度に印刷される。印刷用紙３４、３５は普通紙の他、印刷用紙の片面に粘着層が形成され、該粘着層が剥離紙で覆われているシール専用ＴＡペーパーを用いる。プリント終了後は用紙切断手段によって所定の用紙サイズに切断され、出来上がったプリント物は前記プリンタ２２、２３の何れか一方、又は両方の排紙口から排出される。
【００１７】
前記印刷用紙３４、３５は画像出力装置１０の内部に設けられており、印刷用紙３４、３５の近傍には湿度計３６、温度計３７と、印刷用紙３４、３５に記載されている印刷に関する固有の情報を読み取るバーコードセンサ６２、６３とが設けられている。
【００１８】
図１に示した装置は、例えば店頭などに設置され、セルフ操作によりプリントサービスを提供するプリントマシンとして利用される。プリントサービスを提供する場合、プリントのタイプ毎に設定されている料金に応じて、利用者はコイン投入口３０から料金を入れ、表示装置１４の画面上の操作ガイドにしたがって、前記フラットベットスキャナー１２等の画像入力手段から画像を入力するとともに、合成用テンプレートを選択したり、後述する手順にしたがって文字を入力する。こうして、入力された画像に合成用テンプレートや文字が合成処理され、その合成画像がプリント出力されるようになっている。なお、図１中符号３２は、釣り銭返却口である。
【００１９】
図２は、図１に示した画像出力装置のシステム構成を示すブロック図である。同図に示すように、画像処理コントロール部４０は、ＳＣＳＩインターフェース部４２、メモリ４３、ハードディスクドライブ４４、モデム４５、ＣＰＵ４６、タッチパネル制御部４７、及び表示制御部４８、ネットワークＩ／Ｆ５２、Ｉ／Ｏ５４、時計６０を含み、これら各周辺回路部はバス４９に接続されている。ＣＰＵ４６は各種演算や判断を行うとともに、各回路部を統括制御する制御手段としての役割を果たす。
【００２０】
画像処理コントロール部４０は、ＳＣＳＩインターフェース部４２を介して前記フラットベットスキャナー１２及びプリンタ２２、２３と接続されている。また、図２には示さないが、フイルムスキャナー２０やＰＣカード／スマートメディアのメディアドライバー等もＳＣＳＩインターフェース部４２を介して画像処理コントロール部４０に接続される。
【００２１】
表示装置１４は、前記表示制御部４８によって制御される。また、タッチパネル２８はタッチパネル制御部４７によって制御される。
【００２２】
ハードディスクドライブ４４には、本システムの制御プログラムや、複数の合成用テンプレートのデータ（テンプレートデータ）、温湿度履歴データが格納されている。合成用テンプレートにはテンプレート画像の無いテンプレート（すなわち、背景無しのテンプレート）も含まれ、このような無背景テンプレートは文字が合成されるエリア（文字記入エリア）のみが設定されている。なお、合成用テンプレートのデータはＣＤ−ＲＯＭや通信機能等を利用して追加、更新（アップデート）が可能である。
【００２３】
この画像出力装置１０はモデム４５を介して公衆回線と接続可能であって、図示せぬ携帯電話機等からデータを受信したり、遠距離の所に設置されているネットワークサーバ５６その他の外部装置へ利用率や温度、湿度等のデータを送信できるようになっている。更に、ネットワークＩ／Ｆ５２を介して、離れた所に設置されているネットワーク５３に接続して、ネットワークサーバ５７と接続することも可能となっている。
【００２４】
また、Ｉ／Ｏ５４には印刷用紙３４、３５の近傍における湿度を測定する湿度計３６、温度を測定する温度計３７と、印刷用紙３４、３５固有の印刷特性情報を読み取るバーコードセンサ６２、６３等のセンサと、サーマルヘッド３８、３９とが接続されている。Ｉ／Ｏ５４に入力される各センサの信号は、バス４９を介してＣＰＵ４６が読み込むことが可能となっており、また、ＣＰＵ４６から出力される指令によってＩ／Ｏ５４を介してサーマルヘッド３８、３９の印刷濃度の制御を行うことが可能となっている。
【００２５】
時計６０は、刻々の時刻、日付を刻んでおり、ＣＰＵ４６は時計６０のデータをバス４９を介して参照することが可能であるとともに、時刻を正確な値に修正することも可能となっている。
【００２６】
次に、上記の如く構成された画像出力装置の動作について説明する。
【００２７】
図３は手書き文字の合成処理の手順を示すフローチャートである。同図に示すように、処理がスタートすると、まず、ＣＰＵ４６は制御プログラムにしたがってフラットベットスキャナー１２の画像スキャン解像度及び色数を写真画像の読み込みに適した所定の条件に設定する（ステップＳ３１０）。この場合、例えば、６００dpi 、フルカラー２４ビット（１６７７万色）に設定される。
【００２８】
次いで、フラットベットスキャナー１２のガラス板上に載せられた写真の読み込み動作（入力画像のスキャニング）が実行される（ステップＳ３１２）。次いで、表示装置１４の画面には合成用テンプレートの選択画面が表示される（ステップＳ３１４）。利用者は、画面を見ながらタッチパネル２８を操作して所望のテンプレートを選択することになる。
【００２９】
合成用テンプレートの選択が終わると、続いて、フラットベットスキャナー１２の画像スキャン解像度及び色数の設定が手書き文字原稿の読み取りに適した所定の条件に変更される（ステップＳ３１６）。この場合、例えば、７２dpi 、８ビット（２５６色）に設定される。ここで、利用者は、フラットベットスキャナー１２の原稿を取り替えて、手書き文字が表された文字原稿を前記ガラス板上にセットする。
【００３０】
手書き原稿の原稿サイズは、フラットベットスキャナー１２の読み取りサイズより小さい任意の原稿サイズが可能であり、フラットベットスキャナー１２が原稿サイズを自動的に認識する原稿サイズ自動認識手段を備えている。
【００３１】
手書き文字原稿の読み込み準備が整った後、その文字原稿の読み込み動作が実行される（ステップＳ３１８）。この時、スキャナーの色数、及び解像度が画像原稿の読み込み時よりも減じた設定となっているので、スキャン速度が高速になる。
【００３２】
文字原稿の読み取りが終了すると、ＯＣＲ処理の実行の有無を判断し（Ｓ３２０）、その判定に応じて処理が分岐する。すなわち、利用者が手書き文字の内容をそのまま入力画像に合成することを希望する時は、タッチパネル２８を操作してＯＣＲ機能の無効を選択する。もし、利用者が本システムにおいて予め用意されている字体（フォント）に変換された文字の合成を希望する時はタッチパネル２８を操作してＯＣＲ機能の有効を選択する。なお、字体が複数種類用意され、利用者が自由に選択できるように構成されていてもよい。
【００３３】
利用者の選択結果に基づきＯＣＲを実行しないと判断した時（ＮＯ判定時）は、文字原稿スキャンで読み込んだ内容を表示装置１４の画面上に表示して利用者に確認を促す（ステップＳ３２２）。利用者が承認の指示を入力すると、入力画像、合成用テンプレート及び文字の合成処理が実行される（ステップＳ３３０）。
【００３４】
図４に示すように、合成用テンプレート７２には、入力画像７４をはめ込む画像はめ込みエリア７６と、文字記入エリア７８と、が予め設定されており、フラットベットスキャナー１２から読み込んだ手書き原稿８０の文字列は、前記文字記入エリア７８において文字が欠けないようにサイズ調整（リサイズ）された後、合成用テンプレート７２とともに入力画像７４に合成される。そして、その合成により得られた画像のプリントが実行される（ステップＳ３３２）。
【００３５】
他方、前記ステップＳ３２０でＯＣＲを実行すると判断した時（ＹＥＳ判定時）は、文字原稿スキャンで読み込んだ内容に基づいて文字認識処理を実行する（ステップＳ３２４）。そして、全ての文字について文字認識ができたか否かを判定する（ステップＳ３２６）。もし、全ての文字を認識できた場合は、認識結果を画面上に表示して利用者に確認を促す（ステップＳ３２８）。利用者が承認の指示を入力すると、入力画像、合成用テンプレート及び当該文字認識に基づいて所定の字体に変換された文字の合成処理が実行される（ステップＳ３３０）。そして、その合成画像のプリントが実行される（ステップＳ３３２）。
【００３６】
もし、ステップＳ３２６で一文字でも文字認識できない文字があった時は、その旨を警告してから、ステップＳ３２２に進み、読み込んだ手書き文字の内容をそのまま表示して確認を促す。利用者が承認すれば、手書き文字の合成処理が行われ、プリントが実行されることになる。このようにＯＣＲで認識不能な文字が存在する場合は、文字列全体を手書き文字のまま合成するようにしたので、認識不能な部分だけが不自然な代替記号等で置換されることはない。
【００３７】
上記説明では、手書き文字の原稿を読み込ませる場合を例に説明したが、これと同様の手法により、手書きのイラストや絵の入力も可能である。
【００３８】
次に、文字入力の他の手段を説明する。
【００３９】
図２で説明したように、画像出力装置１０は、モデム４５を有しており、公衆回線５０に接続が可能である。画像出力装置１０は、電話番号又は電子メールアドレスが予め定められている。この画像出力装置１０に対して、利用者は図示せぬ携帯電話機や携帯情報端末等の外部機器（以下、ユーザー端末という。）から文字入力を行い、文字データを上記電話番号又は電子メールアドレスに送信することにより、文字入力を行うことができるように構成されている。
【００４０】
画像出力装置１０は、公衆回線５０を介して文字データを受信した場合には、文字コードを解読して文字情報列に展開する。そして、合成用テンプレート７２中の所定の文字記入エリア７８に前記文字情報列を合成する。合成により得られた画像はプリンタによって印画処理されプリントアウトされる。
【００４１】
図５に、印刷時におけるサーマルヘッド３８、３９の印刷温度の補正方法を示す。一般に印刷用紙３４、３５は印刷時における環境の湿度や温度及び温湿度の履歴等によって印刷特性が変化している。温湿度の変化が大きい設置場所では適切に印刷特性の補正を行わないと、印刷時の色再現性が悪化し、商品価値の低い印刷結果となってしまう。
【００４２】
同図によれば、時刻ｔ１からｔ２にかけて湿度計３６または温度計３７の出力値が（Ａ）から（Ｂ）に上昇した場合には、サーマルヘッド３８、３９の印刷温度をｋ１からｋ２に時定数ｔｃの時間をかけて低下させる値にすることによって、各時刻における印刷時にもＲ、Ｇ、Ｂ各色の色再現性の悪化を防止している。この時の印刷温度の変化曲線は、印刷用紙３４、３５の温湿度履歴特性と同じになるように算出するとよい。また、印刷温度Ｋは印刷用紙３４、３５の製造ロットや製造時の素材の特性によっても固有の初期値を持つので、印刷用紙ロールの一部に補正値を示すコードを記載しておき、バーコードセンサ６２、６３がその固有のコードを読み取って、印刷温度の補正計算に用いる。
【００４３】
前記印刷温度の補正値は、印刷用紙固有の印刷特性値や、測定した湿度値、温度値に対して一次以上の次数の係数をかけて算出してもよいし、０次の係数を加えて算出してもよい。また、非線形性の補正を行ったり、ネットワークサーバー５６又は５７に蓄えられている多くの印刷用紙特性データから補正値を得てもよい。
【００４４】
図６に画像出力装置１０の温湿度履歴データの処理と、ネットワークとの通信処理に関する処理のフローチャートを示す。
【００４５】
画像出力装置１０が初期状態にある場合には、プログラムはステップＳ１００「スタート」（以下Ｓ１００と略す）にジャンプしてくる。
【００４６】
次のＳ１０２「電源投入？」では、画像出力装置１０の電源が投入されているか否かを判断している。もし電源が投入されていない場合には、処理はＳ１０２に戻り、電源が投入されている場合には次のＳ１０４「システム初期化」に進む。Ｓ１０４では、ＣＰＵ４６がハードディスクドライブ４４の記憶手段から実行プログラムや各定数を読み込むとともに、周辺機器を起動して初期設定を実行する。
【００４７】
前記システム初期化が終了した場合、又は、Ｓ１０６「測定・転送」サブルーチンにプログラムがジャンプしてきた場合には、次のＳ１０８「用紙あり？」に進む。
【００４８】
Ｓ１０８では、図１に示した印刷用紙３４又は３５が使用可能の状態であるか否かの判断を行っている。印刷用紙３４又は３５が消耗してしまって使用可能でない場合にはＳ１１０「用紙なしの表示」に進み、図１に示した表示装置１４に印刷用紙３４又は３５が使用可能な状態にないことを表示して、利用者に知らせる。そして次のＳ１１２「温湿度履歴データリセット」に進み、消耗している印刷用紙の温湿度履歴や印刷用紙固有のデータを初期値に戻す処理を行いＳ１０８に戻る。
【００４９】
もしＳ１０８で印刷用紙３４及び３５が使用可能である場合には、Ｓ１１３「用紙情報取得」に進み、ＣＰＵ４６は印刷用紙３４及び３５の固有の印刷特性情報を読み取る。
【００５０】
次のＳ１１４「温湿度測定時刻？」では、図２に示す時計６０が積算している時刻が温湿度を測定する時刻に達したか否かの判断を行っている。もし、時刻が温湿度測定時刻である場合には次のＳ１１６「温湿度測定」に進み、ＣＰＵ４６はバス４９とＩ／Ｏ５４を介して湿度計３６と温度計３７とから、湿度と温度とのデータを得る。そして次のＳ１１８「温湿度履歴データ読み出し」にてＣＰＵ４６はハードディスクドライブ４４に記憶されている温湿度の履歴データを読み込むとともに、前記測定した温度と湿度とのデータを加味して一次遅れ等に代表される遅延処理を行い、新たな温湿度履歴データを作成する。
【００５１】
次のＳ１２０「温湿度履歴データ記憶」では、前記求めた新たな温湿度履歴データをハードディスクドライブ４４に記憶する。次回印刷する場合には、この新たな温度履歴データを用いてサーマルヘッド３８、３９の温度を補正して印刷する。
【００５２】
Ｓ１２０で温湿度履歴データの記憶が終了したか又は、Ｓ１１４で温湿度測定時刻でない場合にはＳ１２２「データ転送要求あり？」に分岐する。Ｓ１２２では、ネットワークサーバー５６又は５７からデータ転送の要求があるか否かの判断を行っている。もしネットワークサーバー５６又は５７から画像出力装置１０に対してデータ転送の要求があった場合には、次のＳ１２４「データ転送」に進み、要求のあったデータをネットワークサーバー５６又は５７に対して転送する。この転送するデータは、測定した温度、湿度、画像出力装置１０の利用率、売上、ステータス、等である。データの転送が終了した場合又はＳ１２２でデータ転送の要求がなかった場合には、Ｓ１２６「表示・処理要求あり？」に進む。
【００５３】
Ｓ１２６では、ネットワークサーバー５６又は５７から表示処理の要求があるか否かの判断を行っている。もしネットワークサーバー５６又は５７から画像出力装置１０に対して表示処理の要求があった場合には、次のＳ１２８「エラー表示」に進み、ネットワークサーバー５６又は５７から受信した表示処理要求のあったデータを表示装置１４に表示する。この表示するデータは、画像表示装置１０が測定した温度、湿度、エラーステータスに対応した警告、操作方法であってもよいし、コマーシャル画面であってもよい。エラー表示が終了した場合には次のＳ１３０「エラー処理」に進み、画像出力装置１０が実行可能なエラー処理や、受信した印刷特性補正データを記憶したり、新たな処理プログラムをダウンロードしたり、各指示された動作を実行する。
【００５４】
Ｓ１３０の処理が終了した場合又は、Ｓ１２６で表示・処理要求が無かった場合にはＳ１３２「エンド」に進み、本サブルーチンを終了する。
【００５５】
上記のようにしてネットワークサーバーは、ネットワークを通じて複数の画像出力装置１０から情報を得るとともにデータ解析を行って、より正確に画像出力装置１０を制御することが可能となる。
【００５６】
【発明の効果】
以上説明したように本発明に係る画像出力システムによれば、画像を読み込む読込手段と、前記画像を印刷する印刷手段と、ネットワークを介して外部の機器と接続可能なネットワーク接続手段と、前記ネットワークを通じて受信した印刷色補正情報に基づいて印刷する色調を補正する補正手段とを有する画像出力装置と、前記ネットワークに接続され、前記ネットワークを通じて前記印刷色補正情報を前記画像出力装置に送信するネットワークサーバとを備えたので、画像出力装置から取得した状態情報に基づいてネットワークサーバーが印刷装置を制御し、プリント画質を常に良好な状態に保つことが可能となる。
【図面の簡単な説明】
【図１】本発明が適用された画像出力システムの外観斜視図
【図２】図１に示す画像出力装置のシステム構成を示すブロック図
【図３】手書き文字の合成処理の手順を示すフローチャート
【図４】手書き文字がテンプレートとともに画像に合成された様子を示す説明図
【図５】印刷時におけるサーマルヘッドの印刷温度の補正方法を示す図
【図６】本発明に係る画像出力システムの温湿度履歴データの処理とネットワークとの通信処理に関する処理のフローチャート
【符号の説明】
１０…画像出力装置、１２…フラットベットスキャナー（画像読み込み手段）、１４…表示装置、１６…フロッピーディスクドライブ（画像入出力手段）、２２、２３…プリンタ（印刷手段）、２５…筐体、２８…タッチパネル、３０…コイン投入口、３４、３５…印刷用紙、３６…湿度計、３７…温度計、３８、３９…サーマルヘッド、４０…画像処理コントロール部、４４…ハードディスクドライブ、４５…モデム（ネットワーク接続手段）、４６…ＣＰＵ（補正手段）、５０…公衆回線、５２…ネットワークＩ／Ｆ（ネットワーク接続手段）、５３…ネットワーク、５４…Ｉ／Ｏ、５６、５７…ネットワークサーバ、６０…時計、６２、６３…バーコードセンサ
【図１】
0003981792.tif 000002
【図２】
0003981792.tif 000003
【図３】
0003981792.tif 000004
【図４】
0003981792.tif 000005
【図５】
0003981792.tif 000006
【図６】
0003981792.tif 000007